(57)【要約】【課題】  フレーミングアシストを行う際に、望遠側のズーム戻り位置の倍率が大きくなっても、効率的にズーム戻り位置の変更を行うことが可能な撮像装置を提供する。【解決手段】  撮像装置は、ユーザがズーム位置の変更を指示するための第１の操作部と、第１の操作部を介した第１の操作に応じてズーム位置を広角側に変更し、第１の操作部を介した第２の操作に応じてズーム位置を記憶手段によって記憶されている第１のズーム位置に変更する制御手段と、第１のズーム位置の変更を指示するための第２の操作部とを有する。第２の操作部の操作が行われた場合、制御手段は、記憶手段に記憶された第１のズーム位置を、変更された第１のズーム位に更新する。第１のズーム位置のズーム倍率に応じて、前記第２の操作部の操作により前記第１のズーム位置を変更する際のズーム倍率の変更量が異なる。【選択図】  図１
2014014048.tif 000002
【特許請求の範囲】
【請求項１】
ユーザがズーム位置の変更を指示するための第１の操作部と、
前記第１の操作部を介した第１の操作に応じてズーム位置を広角側に変更し、前記第１の操作部を介した第２の操作に応じてズーム位置を記憶手段によって記憶されている第１のズーム位置に変更する制御手段と、
前記第１のズーム位置の変更を指示するための第２の操作部と、を有する撮像装置であって、
前記第２の操作部の操作が行われた場合、前記制御手段は、前記記憶手段に記憶された前記第１のズーム位置を、変更された前記第１のズーム位置に更新し、
前記第１のズーム位置のズーム倍率に応じて、前記第２の操作部の操作により前記第１のズーム位置を変更する際のズーム倍率の変更量が異なることを特徴とする撮像装置。
【請求項２】
前記第１のズーム位置が第１の倍率のズーム位置の場合、前記第１の倍率より小さい第２の倍率のズーム位置の場合と比較して、前記第２の操作部の操作により前記第１のズーム位置を変更する際のズーム倍率の変更量が大きいことを特徴とする請求項１に記載の撮像装置。
【請求項３】
所定倍率に対して望遠側に前記第１のズーム位置を変更する場合、前記所定倍率に対して広角側に前記第１のズーム位置を変更する場合と比較して、前記第２の操作部の操作により前記第１のズーム位置を変更する際のズーム倍率の変更量が大きいことを特徴とする請求項１又は２に記載の撮像装置。
【請求項４】
前記所定倍率は、光学ズームの望遠端の位置であることを特徴とする請求項３に記載の撮像装置。
【請求項５】
前記第１のズーム位置が電子ズーム領域である場合、前記第１のズーム位置が光学ズーム領域である場合と比較して、前記第２の操作部の操作により前記第１のズーム位置を変更する際のズーム倍率の変更量が大きいことを特徴とする請求項１乃至４のいずれか１項に記載の撮像装置。
【請求項６】
前記第１のズーム位置のズーム倍率が大きくなるにつれて、前記第２の操作部の操作により前記第１のズーム位置を変更する際のズーム倍率の変更量が大きくなることを特徴とする請求項１又は２に記載の撮像装置。
【請求項７】
前記第２の操作部による前記第１のズーム位置の変更が行われていない場合、前記第１のズーム位置は、前記第１の操作に応じて前記制御手段によりズーム位置を広角側に変更する前のズーム位置であることを特徴とする請求項１乃至６のいずれか１項に記載の撮像装置。
【請求項８】
撮像された画像を表示する表示手段を有し、
前記制御手段は、前記第１のズーム位置を示す表示を、撮像された画像に重畳して前記表示手段に表示するよう制御することを特徴とする請求項１乃至７のいずれか１項に記載の撮像装置。
【請求項９】
前記第２の操作部の操作量に応じて、前記第２の操作部の操作により前記第１のズーム位置を変更する際のズーム倍率の変更量が異なることを特徴とする請求項１乃至８のいずれか１項に記載の撮像装置。
【請求項１０】
前記第２の操作部の操作により前記第１のズーム位置を変更する周期を変更可能であることを特徴とする請求項１乃至９のいずれか１項に記載の撮像装置。
【請求項１１】
被写体の大きさを検出する検出手段を有し、
前記検出手段により検出された被写体の大きさに応じて、前記第２の操作部の操作により前記第１のズーム位置を変更する際のズーム倍率の変更量又は変更の周期の少なくとも一方を変更することを特徴とする請求項１乃至１０のいずれか１項に記載の撮像装置。
【請求項１２】
ユーザがズーム位置の変更を指示するための第１の操作部と第２の操作部を有する撮像装置の制御方法であって、
前記第１の操作部を介した第１の操作に応じてズーム位置を広角側に変更するステップと、
前記第１の操作部を介した第２の操作に応じてズーム位置を記憶手段によって記憶されている第１のズーム位置に変更するステップと、
前記第２の操作部の操作に応じて前記第１のズーム位置を変更するステップと、
前記第２の操作部の操作が行われた場合、前記記憶手段に記憶された前記第１のズーム位置を、変更された前記第１のズーム位置に更新するステップと、を有し、
前記第１のズーム位置のズーム倍率に応じて、前記第２の操作部の操作により前記第１のズーム位置を変更する際のズーム倍率の変更量が異なることを特徴とする撮像装置の制御方法。
【発明の詳細な説明】
【技術分野】
【０００１】
本発明は、撮像装置に関し、特にズーム機能を備える撮像装置に関するものである。
【背景技術】
【０００２】
近年、デジタルカメラのズーム機能の高倍率化により、遠くの被写体を大きく撮影することが可能となっている。このように高倍率ズームが可能なデジタルカメラでは、被写体が動く場合や撮影者の手振れが大きい場合などでは、高倍率になるほど被写体が画角外に外れやすくなってしまう。そこで、被写体が画角外に外れた場合に被写体を再び画角内に入れるための機能が提案されている。例えば、被写体が画角外に外れた際に特定の操作部材を押下することで、所定量だけ広角側にズームを駆動する機能が提案されている。広角側にズームを駆動することで、画角が広くなるため、見失った被写体を探しやすくなる。被写体を発見したら、画角の中心に被写体がくるようにカメラを移動させ、押下していた操作部材を解放する。すると、ズームが望遠側に駆動され、元の画角に戻る。この機能を以下フレーミングアシストと呼び、フレーミングアシストを行うための操作部材をフレーミングアシストボタンと呼ぶ。
【０００３】
ここで、例えばフレーミングアシストボタンを押して広角側にズームアウトした状態で被写体が前後に移動した場合を考える。見失った被写体を発見したら、フレーミングアシストボタンを離すことでズームが元の望遠側の画角に戻るが、このとき被写体の大きさが変わっているため、ズームレバーを操作して画角を決め直す必要がある。そのため、無駄なズーム移動が必要になるだけでなく、望遠側でズーム操作を行うことにより、再び被写体が画角外に外れてしまうおそれもある。
【０００４】
これに対して、特許文献１では、フレーミングアシストボタンを押して広角側にズームアウトした状態でさらにズームレバーを操作することで、望遠側のズーム戻り位置を変更することが可能な構成が開示されている。また、特許文献２では、広角側にズームアウトした状態で画角候補枠を複数表示させて、そのうちの１つを選択することでその画角にズームすることが開示されている。これら特許文献に開示されている構成によれば、広角側にズームアウトした状態で被写体が前後に動いたとしても、被写体の大きさに合わせて望遠側の画角を決め直すことが可能となる。
【先行技術文献】
【特許文献】
【０００５】
【特許文献１】特開２０１２−０６０５９５号公報
【特許文献２】特開２０１０−２７９０２２号公報
【発明の概要】
【発明が解決しようとする課題】
【０００６】
しかしながら、上述の特許文献に開示された従来技術では、望遠側のズーム戻り位置の倍率が大きくなるにつれて、所望の画角に決め直すことが困難になる。例えば、特許文献１のように広角側にズームアウトした状態で望遠側のズーム戻り位置をより望遠側に変更する場合を考える。ズーム戻り位置を一定倍率で望遠側に変更していくと、ズーム戻り位置の倍率が大きくなるにつれて画角の変化量が小さくなっていく。したがって所望のズーム戻り位置にするために多くの操作が必要になってしまう。また、特許文献２のように広角側にズームが引いた状態で画角候補枠を複数表示させる場合、画角候補の倍率が大きければ大きいほど画角候補枠同士の画角の差が小さくなるため、所望の画角を選択しにくくなる。
【０００７】
本発明の目的は、フレーミングアシストの際に望遠側のズーム戻り位置の倍率が大きくなっても、効率的にズーム戻り位置の変更を行うことが可能な撮像装置を提供することである。
【課題を解決するための手段】
【０００８】
上記目的を達成するために、第１の本発明は、ユーザがズーム位置の変更を指示するための第１の操作部前記第１の操作部を介した第１の操作に応じてズーム位置を広角側に変更し、前記第１の操作部を介した第２の操作に応じてズーム位置を記憶手段によって記憶されている第１のズーム位置に変更する制御手段と、前記第１のズーム位置の変更を指示するための第２の操作部と、を有する撮像装置であって、前記第２の操作部の操作が行われた場合、前記制御手段は、前記記憶手段に記憶された前記第１のズーム位置を、変更された前記第１のズーム位置に更新し、前記第１のズーム位置のズーム倍率に応じて、前記第２の操作部の操作により前記第１のズーム位置を変更する際のズーム倍率の変更量が異なることを特徴とする。
【０００９】
第２の本発明は、ユーザがズーム位置の変更を指示するための第１の操作部と第２の操作部を有する撮像装置の制御方法であって、前記第１の操作部を介した第１の操作に応じてズーム位置を広角側に変更するステップと、前記第１の操作部を介した第２の操作に応じてズーム位置を記憶手段によって記憶されている第１のズーム位置に変更するステップと、前記第２の操作部の操作に応じて前記第１のズーム位置を変更するステップと、前記第２の操作部の操作が行われた場合、前記記憶手段に記憶された前記第１のズーム位置を、変更された前記第１のズーム位置に更新するステップと、を有し、前記第１のズーム位置のズーム倍率に応じて、前記第２の操作部の操作により前記第１のズーム位置を変更する際のズーム倍率の変更量が異なることを特徴とする。
【発明の効果】
【００１０】
本発明によれば、フレーミングアシストの際に望遠側のズーム戻り位置の倍率が大きくなっても、効率的にズーム戻り位置の変更を行うことが可能な撮像装置を提供することができる。
【図面の簡単な説明】
【００１１】
【図１】実施例１の撮像装置の動作を示すフローチャートである。
【図２】実施例１、２の撮像装置の構成ブロック図である。
【図３】実施例１のズーム戻り位置変更量を示す概要図である。
【図４】実施例２の撮像装置の動作を示すフローチャートである。
【図５】被写体探索状態での画角を例示した図である。
【発明を実施するための形態】
【００１２】
以下に、本発明の好ましい実施の形態を、添付の図面に基づいて詳細に説明する。
【実施例１】
【００１３】
以下、図１〜３を参照して、本発明の第１の実施例による、撮像装置の動作について説明する。
【００１４】
図２は、撮像装置２００の構成を示す図である。システム制御回路２０１は、例えば、ＣＰＵ（ＭＰＵ）、メモリ（ＤＲＡＭ、ＳＲＡＭ）などからなり、各種処理（プログラム）を実行して撮像装置２００の各ブロックを制御したり、各ブロック間でのデータ転送を制御したりする。また、システム制御回路２０１は、ユーザからの操作を受け付ける操作部２１１からの操作信号に応じて、撮像装置２００の各ブロックを制御する。
【００１５】
撮影光学系を通過した光束は、撮像素子２０３に入射して被写体像を形成する。撮影光学系の一つであるズームレンズ２０２は、光軸方向に移動することにより光学的にズーム倍率の変更が可能である。ズーム制御手段２０８は、システム制御回路２０１により制御され、ズームレンズ２０２を駆動させる。ズームレンズ２０２は、１枚のレンズから構成されても、複数枚のレンズから構成されるレンズ群であってもよい。なお、撮影光学系としては、光軸方向に移動することにより焦点調節を行うフォーカスレンズや、撮像素子２０３に入射する光量を調節する絞り等を含んでよい。
【００１６】
撮像素子２０３は、撮影光学系を通過した光束により形成された被写体像を光電変換して撮像信号を生成するＣＣＤセンサやＣＭＯＳセンサ等から成る素子である。撮像信号は、アナログデジタル変換され、画像処理回路２０４またはメモリ制御回路２０５に送信される。
【００１７】
画像処理回路２０４は、撮像素子２０３から送信された撮像信号或いはメモリ制御回路２０５から送信された画像信号に対して所定の画素補間処理や色変換処理を行う。そして、画像処理回路２０４で処理された画像信号は、メモリ制御回路２０５に送信される。メモリ制御回路２０５は、画像処理回路２０４、画像表示メモリ２０６、画像表示部２０７を制御する。撮像素子２０３から出力された撮像信号は、画像処理回路２０４、メモリ制御回路２０５を介して、或いは直接メモリ制御回路２０５を介して、画像信号として画像表示メモリ２０６に書き込まれる。
【００１８】
画像表示部２０７は、画像表示メモリ２０６から送信された画像信号による映像や、撮像装置２００の操作をするための操作画面（メニュー画面）等を表示する。画像表示部２０７は、例えば、液晶ディスプレイ、有機ＥＬディスプレイ、電子ペーパー等の表示デバイスであれば何でもよい。画像表示部２０７を用いて、撮像した画像データを逐次表示すれば、電子ファインダー機能を実現することが可能である。また、画像表示部２０７は、システム制御回路２０１の指示により任意に表示をＯＮ／ＯＦＦすることが可能であり、表示をＯＦＦにした場合には撮像装置２００の電力消費を低減することができる。また、画像処理回路２０４により画像の切り出し・拡大処理を行った後に画像表示メモリ２０６に格納し、その画像を画像表示部２０７に表示することで、電子ズーム機能を実現することが可能である。
【００１９】
メモリ２０９は、システム制御回路２０１の動作用の定数、変数プログラム等を記憶する。不揮発性メモリ２１０は、電気的に消去・記録可能なメモリであり、例えばＦｌａｓｈＲＯＭ等が用いられる。
【００２０】
操作部２１１は、各種ボタンやタッチパネル等から成り、例えば通常のズーム操作を行うためのズームレバー、フレーミングアシスト動作を行うためのフレーミングアシストボタン等がある。ユーザにより操作部２１１が操作されると、システム制御回路２０１に操作信号が送信される。
【００２１】
次に、図１及び図５を参照して本実施例の動作を説明する。図１は、本実施例にかかわる撮像装置のフレーミングアシスト動作を示すフローチャートである。画像表示部２０７を見ながら撮影画像の画角を調整している際に被写体が画角外に外れた場合、ユーザは操作部２１１に含まれるフレーミングアシストボタン（第１の操作部）を押す（第１の操作）ことでフレーミングアシストを開始する。図５は被写体探索状態での画角を例示した図である。例えば図５（ａ）では、望遠側にズームしている際に被写体の一部が画角から外れた状態を示している。このような場合に被写体を画角内に捉えるために、フレーミングアシストを行う。
【００２２】
Ｓ１０１では、システム制御回路２０１は、ズーム制御手段２０８を制御してズームレンズ２０２を所定倍率だけ広角側に駆動する。この際、システム制御回路２０１は、ズームレンズ２０２駆動前のズーム位置を、ズーム戻り位置（第１のズーム位置）としてメモリ２０９に記憶しておく。なお、広角側にズームする所定倍率は、ユーザがあらかじめ設定しておくことができる。
【００２３】
Ｓ１０２では、システム制御回路２０１は、現在のズーム位置に対して、Ｓ１０１にて記憶したズーム戻り位置の画角の比率を計算し、画像表示部２０７に表示している撮像画像に重畳して戻り枠３００の表示を行う。これにより、ユーザはズーム戻り位置へズームレンズ２０２が戻った際の画角をあらかじめ知ることができ、画角調整がしやすくなる。図５（ｂ）では、図５（ａ）の状態でフレーミングアシストボタンが押されたことで、ズーム位置が広角側に移動し、戻り枠３００が表示された状態を示している。この状態では、ユーザは戻り枠３００を確認しながら被写体の位置を調整することができるので、容易に画角調整を行うことができる。
【００２４】
Ｓ１０３では、システム制御回路２０１は、ズームレバー（第２の操作部）の操作によりズーム戻り位置変更操作が行われたかどうかを判定し、ズーム戻り位置変更操作が行われない場合はＳ１０４へ進み、ズーム戻り位置変更操作が行われた場合はＳ１０６へ進む。ここでのズーム戻り位置変更操作とは、例えばフレーミングアシストボタンを押したままズームレバーを操作することにより、広角側あるいは望遠側へのズーム戻り位置変更を行うことである。また、ズーム戻り位置変更操作を行う必要がある場合としては、見失った被写体を発見した際に、被写体が前後に移動しており、現在の被写体の大きさに合わせてズーム戻り位置の画角を変更したい場合等がある。なお、ズーム戻り位置変更操作を行うための操作部は、ズームレバーに限られない。
【００２５】
Ｓ１０４では、システム制御回路２０１は、フレーミングアシストボタンが離される等、フレーミングアシストを終了する操作（第２の操作）が行われたかどうかを判定する。フレーミングアシストを終了する操作が行われた場合はＳ１０５へ進み、フレーミングアシストを終了する操作が行われない場合はＳ１０３へ戻る。
【００２６】
Ｓ１０５では、システム制御回路２０１は、メモリ２０９に記憶しているズーム戻り位置となるように、ズーム制御手段２０８を制御してズームレンズ２０２を望遠側に駆動し、フレーミングアシストを終了する。
【００２７】
一方、Ｓ１０３でズーム戻り位置変更操作が行われたと判定した場合、Ｓ１０６へ進み、システム制御回路２０１は、現在のズーム戻り位置に応じて決まるズーム戻り位置変更量を取得する。ここで、ズーム戻り位置変更量とは、現在のズーム戻り位置に応じて決められた値である。例えば、図３に示すように、現在のズーム戻り位置の倍率が４５倍であるときに望遠側にズーム戻り位置を変更する場合は、１．１倍をズーム戻り位置変更量として取得する。また、現在のズーム戻り位置の倍率が５０倍であるときに望遠側にズーム戻り位置を変更する場合は、１．２５倍をズーム戻り位置変更量として取得する。さらに、広角側にズーム戻り位置を変更する場合も同様に、現在のズーム戻り位置に応じて決められた値を取得する。
【００２８】
上述のように現在のズーム戻り位置に応じて異なる変更量を取得する理由を説明する。ズーム戻り位置を一定倍率で望遠側に変更していくと、ズーム戻り位置の倍率が大きくなるにつれて画角の変化量が小さくなっていく。したがって、所望のズーム戻り位置にするためには多くの操作が必要になってしまう。そこで、上述のようにズーム戻り位置が所定の倍率より高倍率の場合は、所定の倍率より低倍率の場合と比較して、ズーム戻り位置変更量を大きくすることで、画角の変化量が所定以上となるようにして、効率的にズーム戻り位置の変更ができるようにする。
【００２９】
図１の説明に戻る。Ｓ１０７では、システム制御回路２０１は、Ｓ１０６において取得したズーム戻り位置変更量だけズーム戻り位置を変更し、ズーム戻り位置としてメモリ２０９に記憶する。そして、システム制御回路２０１は、現在のズーム位置に対して、更新されたズーム戻り位置の画角の比率を計算し、画像表示部２０７に表示している撮像画像に重畳して戻り枠３００の再表示を行う。図５（ｃ）では、図５（ｂ）の状態でズームレバーが広角側へ操作されたことにより、戻り枠３００が拡大された（広角側に変更された）状態を示している。これにより、ズーム戻り位置が変更されたことと、更新されたズーム戻り位置の画角をユーザが知ることができる。戻り枠３００の再表示を終えたらＳ１０３へ戻る。図５（ｄ）では、図５（ｃ）のようにズーム戻り位置変更操作を経て、Ｓ１０５でズーム戻り位置へズームを移動した状態を示している。
【００３０】
以上説明したように、本実施例によれば、フレーミングアシストの際にズーム戻り位置を変更する場合、ズーム戻り位置の倍率が大きくなっても、ズーム戻り位置変更量を大きくして画角の変化量を大きくすることができるため、効率的にズーム戻り位置の変更ができる。
【００３１】
本実施例では、フレーミングアシストボタンを押したままズームレバーを操作することにより、広角側あるいは望遠側へのズーム戻り位置変更を行う動作について説明した。ここで、フレーミングアシストボタンを押さずにズームレバーを操作した場合との動作の違いについて説明する。
【００３２】
フレーミングアシストボタンを押さずにズームレバーを操作すると、ズームレンズ２０２を広角側あるいは望遠側に直ちに駆動し、ズーム倍率を変更する。この時は、試行錯誤しながら画角を決定する必要があるため、シームレスな倍率変更が求められる。これに対して、フレーミングアシストボタンを押してズームレバーを操作する場合（ズーム戻り位置変更を行う場合）とは、試行錯誤の結果画角が決定したものの、被写体の大きさが変わった等の理由で画角の変更が必要となった場合である。したがって、目的の画角はほぼ確定しており、その画角に素早く変更するために、所定の倍率刻みに間引いてズーム倍率を変更できるほうが効率的である。
【００３３】
上記の理由により、フレーミングアシストボタンを押さずにズームレバーを操作した場合は、シームレスな倍率変更を行う。一方、フレーミングアシストボタンを押したままズームレバーを操作した場合は、図３に示すように所定倍率刻み（・・・３８倍、４１倍、４５倍、５０倍、６０倍、７５倍、１００倍・・・）で倍率変更を行う。
【００３４】
上述したように、本実施例では、ズーム戻り位置が所定の倍率より高倍率の場合はズーム戻り位置変更量をより大きくする。例として、図３では、ズーム戻り位置の倍率が５０倍まで（第２の倍率）はズーム戻り位置変更量を１．１倍にし、５０倍以降（第１の倍率）はズーム戻り位置変更量を１．２５倍にしている。ここで、光学ズーム倍率の望遠端を５０倍として、光学ズーム領域と電子ズーム領域とでズーム戻り位置変更量を変えるようにしても良い。また、光学望遠端である５０倍のズーム位置を基準として、ズーム戻り位置を決定しても良い。すなわち、５０倍を基準に、広角側は１．１倍刻みで４５倍、４１倍、３８倍、・・・をズーム戻り位置として選択できるようにする。同様に、望遠側は１．２５倍刻みで６０倍、７５倍、１００倍、・・・をズーム戻り位置として選択できるようにする。
【００３５】
なお、本実施例では、ズーム戻り位置が所定の倍率より高倍率かどうかに応じてズーム戻り位置変更量を変えるようにしたが、ズーム戻り位置が高倍率になるにつれてズーム戻り位置変更量を徐々に大きくするようにしても良い。
【実施例２】
【００３６】
以下、図４を参照して、本発明の第２の実施例による、撮像装置の動作について説明する。図４は、本実施例にかかわる撮像装置のフレーミングアシスト動作を示すフローチャートである。図４において、Ｓ４０１〜Ｓ４０５、Ｓ４０８はそれぞれ上述した図１のＳ１０１〜Ｓ１０５、Ｓ１０７と同様である。
【００３７】
Ｓ４０１では、システム制御回路２０１は、ズーム制御手段２０８を制御してズームレンズ２０２を所定倍率だけ広角側に駆動する。この際、システム制御回路２０１は、ズームレンズ２０２駆動前のズーム位置を、ズーム戻り位置としてメモリ２０９に記憶しておく。なお、広角側にズームする所定倍率は、ユーザがあらかじめ設定しておくことができる。
【００３８】
Ｓ４０２では、システム制御回路２０１は、現在のズーム位置に対して、Ｓ４０１にて記憶したズーム戻り位置の画角の比率を計算し、画像表示部２０７に表示している撮像画像に重畳して戻り枠３００の表示を行う。これにより、ユーザはズーム戻り位置へズームレンズ２０２が戻った際の画角をあらかじめ知ることができ、画角調整がしやすくなる。
【００３９】
Ｓ４０３では、システム制御回路２０１は、ズームレバーの操作によりズーム戻り位置変更操作が行われたかどうかを判定し、ズーム戻り位置変更操作が行われない場合はＳ４０４へ進み、ズーム戻り位置変更操作が行われた場合はＳ４０６へ進む。
【００４０】
Ｓ４０４では、システム制御回路２０１は、フレーミングアシストボタンが離される等、フレーミングアシストを終了する操作が行われたかどうかを判定する。フレーミングアシストを終了する操作が行われた場合はＳ４０５へ進み、フレーミングアシストを終了する操作が行われない場合はＳ４０３へ戻る。
【００４１】
Ｓ４０５では、システム制御回路２０１は、メモリ２０９に記憶しているズーム戻り位置となるように、ズーム制御手段２０８を制御してズームレンズ２０２を望遠側に駆動し、フレーミングアシストを終了する。
【００４２】
一方、Ｓ４０３でズーム戻り位置変更操作が行われたと判定した場合はＳ４０６へ進む。Ｓ４０６では、システム制御回路２０１は、ズーム操作量検出及び被写体検出を行う。ここで、ズーム操作量検出とは、例えば操作部２１１のズームレバーが移動量を検出できる場合等に、ズームレバーの移動量を検出するものとする。また、被写体検出とは、撮像画像から主要な被写体を検出し、その大きさを検出するものとする。
【００４３】
Ｓ４０７では、システム制御回路２０１は、Ｓ４０６において検出したズーム操作量及び被写体の情報に基づいてズーム戻り位置変更量を取得する。例えば、ズーム操作量が大きい場合はズーム戻り位置変更量も大きくすることで、所望の画角に素早く変更でき、かつズーム操作量が小さい場合はズーム戻り位置変更量も小さくすることで、細かく微調整することが可能である。また、被写体の情報を用いることで、現在のズーム戻り位置の画角の大きさに対して被写体の大きさがどの程度ずれているかを判定する。被写体の大きさのずれが大きい場合はズーム戻り位置変更量も大きくすることで、所望のズーム戻り位置に素早く変更でき、かつ被写体の大きさのずれが小さい場合はズーム戻り位置変更量も小さくすることで、細かく微調整することが可能である。
【００４４】
Ｓ４０８では、システム制御回路２０１は、Ｓ４０７において取得したズーム戻り位置変更量だけズーム戻り位置を変更し、ズーム戻り位置としてメモリ２０９に記憶する。そして、システム制御回路２０１は、現在のズーム位置に対して、更新されたズーム戻り位置の画角の比率を計算し、画像表示部２０７に表示している撮像画像に重畳して戻り枠３０を再表示した後にＳ４０９へ進む。
【００４５】
Ｓ４０９では、システム制御回路２０１は、所定時間の待ちを行い、その後にＳ４０３へ戻る。ここで、Ｓ４０９における待ち時間を短く設定した場合は、すぐに次のズーム戻り位置変更処理に進むため、ズーム戻り位置変更周期を短くすることができる。また、Ｓ４０９における待ち時間を長く設定した場合は、次のズーム戻り位置変更処理までの時間が長くなるため、ズーム戻り位置変更周期を長くすることができる。Ｓ４０９における待ち時間は様々に変更可能である。例えば、最初は待ち時間を長く設定して徐々に待ち時間を短く変更していけば、最初のズームレバー操作ではゆっくりズーム戻り位置を変更し、そのままズームレバーを操作したままにすることで徐々に高速にズーム戻り位置を変更することが可能である。また、Ｓ４０６において検出した被写体の情報に基づいて待ち時間を変更しても良い。例えば、現在のズーム戻り位置の画角の大きさに対して被写体の大きさのずれが大きい場合は待ち時間を小さくすることで、所望のズーム戻り位置に素早く変更でき、かつ被写体の大きさのずれが小さい場合は待ち時間を大きくすることで、細かく微調整することが可能である。
【００４６】
なお、フレーミングアシストボタンを押さずにズームレバーを操作した際に実際にズームレンズ２０２が駆動する移動量及び移動速度に合わせて、Ｓ４０７におけるズーム戻り位置変更量及びＳ４０９における待ち時間を調整することも可能である。実際のズームレンズ２０２の駆動による画角変化と、ズーム戻り位置の画角変化が同様になるので、直感的に分かりやすくズーム戻り位置変更を行うことができる。
【００４７】
以上説明したように、本実施例によれば、フレーミングアシストの際にズーム戻り位置を変更する場合、ズーム戻り位置変更量及び変更周期を最適に設定することができるため、効率的に画角変更ができる。
【００４８】
以上、本発明の好ましい実施形態について説明したが、本発明はこれらの実施形態に限定されず、その要旨の範囲内で種々の変形及び変更が可能である。
【符号の説明】
【００４９】
２００  撮像装置
２０１  システム制御回路
２０２  ズームレンズ
２０３  撮像素子
２０７  画像表示部
２０８  ズーム制御手段
２０９  メモリ
２１１  操作部
【図１】
2014014048.tif 000003
【図２】
2014014048.tif 000004
【図３】
2014014048.tif 000005
【図４】
2014014048.tif 000006
【図５】
2014014048.tif 000007